【手続補正書】
【提出日】平成30年4月27日(2018.4.27)
【手続補正１】
【補正対象書類名】明細書
【補正対象項目名】０００８
【補正方法】変更
【補正の内容】
【０００８】
本発明は、ライブ表示される画像とは別の画像に仮想オブジェクトを重畳させる依頼を受けた場合に、当該別の画像の日時における仮想オブジェクトの画像を再現し、表示装置に表示させる仕組みを提供することを目的とする。
【手続補正２】
【補正対象書類名】明細書
【補正対象項目名】０００９
【補正方法】変更
【補正の内容】
【０００９】
本発明は、表示装置と、仮想オブジェクトを記憶する情報処理装置とを含む情報処理システムであって、表示装置においてライブ表示される第１の画像に、当該表示装置の位置に応じて位置決定された仮想オブジェクトの画像を重畳して表示すべく制御する第１の表示制御手段と、前記表示装置にライブ表示される前記第１の画像とは別の画像に前記仮想オブジェクトを重畳させる依頼を受けた場合に、当該別の画像である第２の画像にかかる日時における仮想オブジェクトの画像を、当該第２の画像に重畳して表示すべく生成する生成手段と、前記生成手段で生成された前記仮想オブジェクトの画像を前記第２の画像に重畳して前記表示装置に表示すべく制御する第２の表示制御制御手段と、を備えることを特徴とする。
【手続補正３】
【補正対象書類名】明細書
【補正対象項目名】００１０
【補正方法】変更
【補正の内容】
【００１０】
本発明は、ライブ表示される画像とは別の画像に仮想オブジェクトを重畳させる依頼を受けた場合に、当該別の画像の日時における仮想オブジェクトの画像を再現し、表示装置に表示させるができる。
【手続補正４】
【補正対象書類名】特許請求の範囲
【補正対象項目名】全文
【補正方法】変更
【補正の内容】
【特許請求の範囲】
【請求項１】
表示装置と、仮想オブジェクトを記憶する情報処理装置とを含む情報処理システムであって、
表示装置においてライブ表示される第１の画像に、当該表示装置の位置に応じて位置決定された仮想オブジェクトの画像を重畳して表示すべく制御する第１の表示制御手段と、
前記表示装置にライブ表示される前記第１の画像とは別の画像に前記仮想オブジェクトを重畳させる依頼を受けた場合に、当該別の画像である第２の画像にかかる日時における仮想オブジェクトの画像を、当該第２の画像に重畳して表示すべく生成する生成手段と、
前記生成手段で生成された前記仮想オブジェクトの画像を前記第２の画像に重畳して前記表示装置に表示すべく制御する第２の表示制御制御手段と、
を備えることを特徴とする情報処理システム。
【請求項２】
前記表示装置は撮像装置であって、
前記生成手段は、前記表示装置においてシャッターボタンが押下された旨を示す情報であるシャッター情報が送信された場合に、前記シャッターの押下により撮像された画像である第２の画像に前記仮想オブジェクトを重畳した複合現実画像を生成することを特徴とする請求項１に記載の情報処理システム。
【請求項３】
前記第１の表示制御手段は、低解像度画像である第１の画像に前記仮想オブジェクトを重畳した複合現実画像を前記情報処理装置に送信し、
前記第２の表示制御送信手段は、高解像度画像である第２の画像に前記仮想オブジェクトを重畳した複合現実画像を前記情報処理装置に送信することを特徴とする請求項１に記載の情報処理システム。
【請求項４】
前記第１の表示制御手段は、前記表示装置にライブ表示される前記第１の画像に対応する第１の仮想空間における仮想オブジェクトの位置と、表示装置の位置とに基づいて、前記第１の画像に重畳する仮想オブジェクトの画像を表示すべく制御し、
前記生成手段は、前記第２の画像に重畳する仮想オブジェクトの画像を、前記第２の画像にかかる日時における第２の仮想空間における仮想オブジェクトの位置と、表示装置の位置とに基づいて生成し、
前記第２の表示制御手段は、前記第２の画像にかかる日時における第２の仮想空間における仮想オブジェクトの位置と、表示装置の位置とに基づいて生成された前記仮想オブジェクトの画像を前記第２の画像に重畳して前記表示装置に表示すべく制御することを特徴とする請求項１乃至３のいずれか１項に記載の情報処理システム。
【請求項５】
前記依頼を受け付けた場合に、前記生成手段により前記第２の画像に重畳する仮想オブジェクトの画像を生成すべく、前記第２の画像にかかる日時における前記第２の仮想空間を生成する仮想空間生成手段と、
を備えることを特徴とする請求項４に記載の情報処理システム。
【請求項６】
表示装置と、仮想オブジェクトを記憶する情報処理装置とを含む情報処理システムの制御方法であって、
表示装置においてライブ表示される第１の画像に、当該表示装置の位置に応じて位置決定された仮想オブジェクトの画像を重畳して表示すべく制御する第１の表示制御工程と、
前記表示装置にライブ表示される前記第１の画像とは別の画像に前記仮想オブジェクトを重畳させる依頼を受けた場合に、当該別の画像である第２の画像にかかる日時における仮想オブジェクトの画像を、当該第２の画像に重畳して表示すべく生成する生成工程と、
前記生成工程で生成された前記仮想オブジェクトの画像を前記第２の画像に重畳して前記表示装置に表示すべく制御する第２の表示制御制御工程と、
を含むことを特徴とする制御方法。
【請求項７】
表示装置と通信可能な、仮想オブジェクトを記憶する情報処理装置であって、
表示装置においてライブ表示される第１の画像に、当該表示装置の位置に応じて位置決定された仮想オブジェクトの画像を重畳して表示すべく制御する第１の表示制御手段と、
前記表示装置にライブ表示される前記第１の画像とは別の画像に前記仮想オブジェクトを重畳させる依頼を受けた場合に、当該別の画像である第２の画像にかかる日時における仮想オブジェクトの画像を、当該第２の画像に重畳して表示すべく生成する生成手段と、
前記生成手段で生成された前記仮想オブジェクトの画像を前記第２の画像に重畳して前記表示装置に表示すべく制御する第２の表示制御制御手段と、
を備えることを特徴とする情報処理装置。
【請求項８】
表示装置と通信可能な、仮想オブジェクトを記憶する情報処理装置の制御方法であって、
表示装置においてライブ表示される第１の画像に、当該表示装置の位置に応じて位置決定された仮想オブジェクトの画像を重畳して表示すべく制御する第１の表示制御工程と、
前記表示装置にライブ表示される前記第１の画像とは別の画像に前記仮想オブジェクトを重畳させる依頼を受けた場合に、当該別の画像である第２の画像にかかる日時における仮想オブジェクトの画像を、当該第２の画像に重畳して表示すべく生成する生成工程と、
前記生成工程で生成された前記仮想オブジェクトの画像を前記第２の画像に重畳して前記表示装置に表示すべく制御する第２の表示制御制御工程と、
を含むことを特徴とする制御方法。
【請求項９】
表示装置と通信可能な、仮想オブジェクトを記憶する情報処理装置を、
表示装置においてライブ表示される第１の画像に、当該表示装置の位置に応じて位置決定された仮想オブジェクトの画像を重畳して表示すべく制御する第１の表示制御手段と、
前記表示装置にライブ表示される前記第１の画像とは別の画像に前記仮想オブジェクトを重畳させる依頼を受けた場合に、当該別の画像である第２の画像にかかる日時における仮想オブジェクトの画像を、当該第２の画像に重畳して表示すべく生成する生成手段と、
前記生成手段で生成された前記仮想オブジェクトの画像を前記第２の画像に重畳して前記表示装置に表示すべく制御する第２の表示制御制御手段として機能させるためのプログラム。